(57)【要約】【課題】薬剤容器の形状や大きさにとらわれず、多種多様な薬剤容器が取り付け可能であると共に、薬剤容器の取り付け方向が調整可能な薬剤塗布補助具を提案する。【解決手段】把持部１を有する本体部２と、薬剤容器９を保持する薬剤容器保持部３とから成り、薬剤容器保持部３は、弾性変形することで対向状態に設けた対向先端部４Ａの対向間隔が広狭する有端環状変形部４の夫々の対向先端部４Ａに、薬剤容器９を挟持する一対の挟持片５を挟持面が対向するように設けた構成とし、一対の挟持片５は、夫々の挟持面に、若しくは夫々の挟持面の周縁に設けた周壁部６に、薬剤容器９を位置決めする位置決め凹部７を夫々対向するように設けると共に、この位置決め凹部７で位置決めした薬剤容器９の位置ズレを抑制する滑り止め部８を設けた構成とした薬剤塗布補助具。【選択図】図１
2015047410.tif 000002
【特許請求の範囲】
【請求項１】
身体の背部等の手が届きにくく自身で薬剤を塗布することが困難な患部に薬剤を塗布する際に用いる薬剤塗布補助具であって、把持部を有する本体部と、この本体部の先端部に設けた薬剤容器を保持する薬剤容器保持部とから成り、前記薬剤容器保持部は、弾性変形することで対向状態に設けた対向先端部の対向間隔が広狭する有端環状変形部の夫々の前記対向先端部に、前記薬剤容器を挟持する一対の挟持片を挟持面が対向するように設けて、前記有端環状変形部を弾性変形させて前記一対の挟持片の間隔を広げて前記薬剤容器をこの挟持片間に配設し、前記有端環状変形部の弾性復帰力によりこの挟持片間に配設した前記薬剤容器を挟持するように構成し、前記一対の挟持片は、夫々の挟持面に、若しくは夫々の挟持面の周縁に設けた周壁部に、前記薬剤容器を位置決めする位置決め凹部を夫々対向するように設けると共に、この対向する一対の位置決め凹部により位置決めした前記薬剤容器の位置ズレを抑制する滑り止め部を設けた構成としたことを特徴とする薬剤塗布補助具。
【請求項２】
前記本体部は、弧状に湾曲した形状に形成した構成としたことを特徴とする請求項１記載の薬剤塗布補助具。
【請求項３】
前記薬剤容器は、先端に塗布部が設けられた片手で把持可能な筒状の薬剤収納部内に液体状の薬剤が収納された携帯型の薬剤容器であることを特徴とする請求項１，２のいずれか１項に記載の薬剤塗布補助具。
【請求項４】
前記滑り止め部は、上端縁部にゴム製又は合成ゴム製若しくは軟質合成樹脂製の突起を複数並設した構成としたことを特徴とする請求項１〜３のいずれか１項に記載の薬剤塗布補助具。
【請求項５】
前記一対の挟持片の夫々に設けた前記位置決め凹部を複数対設けて、この複数対の位置決め凹部の中から前記薬剤容器を挟持する一対の位置決め凹部を選択することで前記薬剤容器の取り付け角度を変更し得るように構成したことを特徴とする請求項１〜４のいずれか１項に記載の薬剤塗布補助具。
【発明の詳細な説明】
【技術分野】
【０００１】
本発明は、身体の背部等の手が届きにくく自身で薬剤を塗布することが困難な患部に薬剤を塗布する際に用いる薬剤塗布補助具に関するものである。
【背景技術】
【０００２】
従来、軽度の筋肉痛や虫刺され、湿疹等の治療は、薬局やドラッグストア等で市販されている薬剤を塗布して治療するケースが殆どである。
【０００３】
この市販の薬剤のひとつに、容器に装着した塗布部に、容器内に収容した液体状の薬剤を含浸させ、この薬剤を含浸した塗布部を患部に接触させて塗布する液状タイプの薬剤がある。
【０００４】
この種の薬剤は、背中等の手が届きにくい患部に、自分自身で塗布することが困難であるため、このような患部に塗布する場合は、家族等の近親者に塗布してもらっていた。
【０００５】
しかし、一人暮らしの人は、上述のような塗布を他の人に依頼することができないので、従来、このような他の人に塗布を依頼しなくても、特許文献１，２に示すような、背中等の手が届きにくい患部に薬剤を自分自身で塗布することができるようにするための種々の補助具が提案されている。
【先行技術文献】
【特許文献】
【０００６】
【特許文献１】登録実用新案第３０１１１５１号公報
【特許文献２】特開２００６−２８０８３３号公報
【発明の概要】
【発明が解決しようとする課題】
【０００７】
しかしながら、この種の薬剤は、薬剤容器の形状や大きさが多種多様であるため、特許文献１のようなものでは、薬剤容器形状が特定の形状のものしか取り付けることができないため、使用できる薬剤が限定されてしまう問題がある。
【０００８】
また、特許文献２のようなものは、薬剤容器の取り付け方向が一方向に限られているので、薬剤を含浸させる塗布部が上方を向いているものを取り付けた場合は、塗布する際に塗布部が患部方向を向いている状態となるため問題なく薬剤を塗布することができるが、塗布部が横方向を向いているものを取り付けた場合は、塗布部が患部方向に向かないため、塗布し難くなる問題がある。
【０００９】
本発明は、上述のような現状に鑑み、薬剤容器の形状や大きさにとらわれず、多種多様な薬剤容器が取り付け可能で、更に、薬剤容器の取り付け方向を調整することができ、塗布部が上向きの薬剤容器でも横向きの薬剤容器でも、容易にこの塗布部が患部を向くようにして薬剤容器を取り付けることができる薬剤塗布補助具を提案することを目的とする。
【課題を解決するための手段】
【００１０】
添付図面を参照して本発明の要旨を説明する。
【００１１】
身体の背部等の手が届きにくく自身で薬剤を塗布することが困難な患部に薬剤を塗布する際に用いる薬剤塗布補助具であって、把持部１を有する本体部２と、この本体部２の先端部に設けた薬剤容器９を保持する薬剤容器保持部３とから成り、前記薬剤容器保持部３は、弾性変形することで対向状態に設けた対向先端部４Ａの対向間隔が広狭する有端環状変形部４の夫々の前記対向先端部４Ａに、前記薬剤容器９を挟持する一対の挟持片５を挟持面が対向するように設けて、前記有端環状変形部４を弾性変形させて前記一対の挟持片５の間隔を広げて前記薬剤容器９をこの挟持片５間に配設し、前記有端環状変形部４の弾性復帰力によりこの挟持片５間に配設した前記薬剤容器９を挟持するように構成し、前記一対の挟持片５は、夫々の挟持面に、若しくは夫々の挟持面の周縁に設けた周壁部６に、前記薬剤容器９を位置決めする位置決め凹部７を夫々対向するように設けると共に、この対向する一対の位置決め凹部７により位置決めした前記薬剤容器９の位置ズレを抑制する滑り止め部８を設けた構成としたことを特徴とする薬剤塗布補助具に係るものである。
【００１２】
また、前記本体部２は、弧状に湾曲した形状に形成した構成としたことを特徴とする請求項１記載の薬剤塗布補助具に係るものである。
【００１３】
また、前記薬剤容器９は、先端に塗布部９Ａが設けられた片手で把持可能な筒状の薬剤収納部９Ｂ内に液体状の薬剤が収納された携帯型の薬剤容器９であることを特徴とする請求項１，２のいずれか１項に記載の薬剤塗布補助具に係るものである。
【００１４】
また、前記滑り止め部８は、上端縁部にゴム製又は合成ゴム製若しくは軟質合成樹脂製の突起８Ａを複数並設した構成としたことを特徴とする請求項１〜３のいずれか１項に記載の薬剤塗布補助具に係るものである。
【００１５】
また、前記一対の挟持片５の夫々に設けた前記位置決め凹部７を複数対設けて、この複数対の位置決め凹部７の中から前記薬剤容器９を挟持する一対の位置決め凹部７を選択することで前記薬剤容器９の取り付け角度を変更し得るように構成したことを特徴とする請求項１〜４のいずれか１項に記載の薬剤塗布補助具に係るものである。
【発明の効果】
【００１６】
本発明は上述のようにしたから、薬剤容器の形状や大きさにとらわれず、多種多様な薬剤容器を薬剤容器保持部に保持することができ、しかも、薬剤容器の塗布部を所望の向きに向けた状態で保持することができ、これにより、塗布部が上向きの薬剤容器でも横向きの薬剤容器でも、塗布状態において、この塗布部が患部を向くようにして薬剤容器を保持することができ、背中等の手が届かず塗布が困難な患部に容易に薬剤を塗布することができる実用性に優れた画期的な薬剤塗布補助具となる。
【００１７】
また、請求項２記載の発明においては、本体部を直線的に形成した場合に比して、楽な体勢で薬剤を背中に塗布することができる一層実用性に優れた薬剤塗布補助具となる。
【００１８】
また、請求項３記載の発明においては、多種多様な形状の薬剤容器を保持することができる一層実用性に優れた薬剤塗布補助具となる。
【００１９】
また、請求項４記載の発明においては、一対の挟持片で挟持した薬剤容器の位置ズレがより一層抑制され、挟持状態を強固に保持することができる実用性に優れた薬剤塗布補助具となる。
【００２０】
また、請求項５記載の発明においては、塗布部が上向きの薬剤容器でも横向きの薬剤容器でも、塗布状態において、この塗布部が患部に向くように薬剤容器を薬剤容器保持部に保持させることが容易にできる、より一層実用性に優れた画期的な薬剤塗布補助具となる。
【図面の簡単な説明】
【００２１】
【図１】本実施例を示す斜視図である。
【図２】本実施例の薬剤容器保持部を示す斜視図である。
【図３】本実施例の薬剤容器保持部を示す説明正面図である。
【図４】本実施例の挟持片を示す説明分解斜視図である。
【図５】本実施例の薬剤収納容器の取り付け状態を示す説明図である。
【図６】本実施例の薬剤容器保持部で薬剤容器を保持した状態を示す説明図である。
【図７】本実施例の薬剤容器保持部を示す説明斜視図である。
【図８】本実施例の使用状態を示す説明図である。
【発明を実施するための形態】
【００２２】
好適と考える本発明の実施形態を、図面に基づいて本発明の作用を示して簡単に説明する。
【００２３】
薬剤容器保持部３に薬剤容器９を取り付ける際は、一対の挟持片５に対して間隔広げ操作を行い、この一対の挟持片５の対向間隔を広げ、この対向間隔を広げた一対の挟持片５間に、薬剤容器９を位置決め凹部７に係合するようにして配設し、この一対の挟持片５に対する間隔広げ操作を解除すると、この一対の挟持片５の対向間隔を広げたことにより弾性変形した有端環状変形部４が弾性復帰し、この有端環状変形部４の弾性復帰により一対の挟持片５の広げた対向間隔が狭まり、挟持片５が薬剤容器９に当接し、有端環状変形部４の弾性復帰力が挟持力となって薬剤容器９を挟持する。
【００２４】
また、この薬剤容器９を挟持した一対の挟持片５は、夫々に滑り止め部８が設けられており、薬剤容器９は、この滑り止め部８により位置ズレすることなく強固に挟持された状態で薬剤容器保持部３に保持される。
【００２５】
このように、本発明は、一対の挟持片５で薬剤容器９を挟持する構成としたから、薬剤容器９の形状や大きさにとらわれず、多種多様な薬剤容器９を薬剤容器保持部３に保持することができ、しかも、薬剤容器９の塗布部９Ａを所望の向きに向けた状態で保持することができ、これにより、塗布部９Ａが上向きの薬剤容器９でも横向きの薬剤容器９でも、塗布状態において、この塗布部９Ａが患部を向くようにして薬剤容器９を薬剤容器保持部３に保持させることが容易にでき、背中等の手が届かず塗布が困難な患部に容易に薬剤を塗布することができる実用性に優れた画期的な薬剤塗布補助具となる。
【実施例】
【００２６】
本発明の具体的な実施例について図面に基づいて説明する。
【００２７】
本実施例は、身体の背部等の手が届きにくく自身で薬剤を塗布することが困難な患部に薬剤を塗布する際に用いる薬剤塗布補助具である。
【００２８】
本実施例は、図１に示すように、把持部１を有する本体部２と、この本体部２の先端部に設けた薬剤容器９を保持する薬剤容器保持部３とから成り、薬剤容器保持部３は、弾性変形することで対向状態に設けた対向先端部４Ａの対向間隔が広狭する有端環状変形部４の夫々の対向先端部４Ａに、薬剤容器９を挟持する一対の挟持片５を挟持面が対向するように設けて、有端環状変形部４を弾性変形させて一対の挟持片５の間隔を広げて薬剤容器９をこの挟持片５間に配設し、有端環状変形部４の弾性復帰力によりこの挟持片５間に配設した薬剤容器９を挟持するように構成したものである。
【００２９】
具体的には、本実施例の本体部２は、合成樹脂製の棒材を、先端側を半円弧状に湾曲させて正面視疑問符形状に形成し、基端部に把持部１を設け、先端部に薬剤容器保持部３を連接する本体側連結部12を設けた構成としている。
【００３０】
また、本実施例の薬剤容器保持部３は、図２に示すように、有端環状変形部４と、この有端環状変形部４の対向先端部４Ａに設けられる一対の挟持片５とから成る構成としている。
【００３１】
より具体的には、有端環状変形部４は、図３に示すように、弾性変形する合成樹脂製の帯板材をＣ状に曲成すると共に、弾性変形により、この有端環状変形部４の両端部となる対向先端部４Ａの対向間隔が広狭する構成としている。
【００３２】
また、一対の挟持片５は、図４に示すように、合成樹脂製の平板材を円形に形成し、この円形平板材の挟持面側の周縁に沿って帯板状の周壁部６を立設してトレー状（受け皿状）に形成した構成としている。
【００３３】
より具体的には、本実施例の挟持片５は、夫々に挟持する薬剤容器９を位置決めする位置決め凹部７と、この位置決め凹部７で位置決めした薬剤容器９の位置ズレを防止する滑り止め部８を設けた構成としている。
【００３４】
更に詳細に説明すると、本実施例の位置決め凹部７は、円弧状凹部に形成し、一対の挟持片５の夫々の周壁部６に対向状態に夫々設けて、一対の位置決め凹部７で薬剤容器９（薬剤収納部９Ｂ）の胴部に側方より挟持するように係合して、この薬剤容器９を位置決めするように構成している。
【００３５】
また、本実施例は、この一対の位置決め凹部７を複数対設けた構成とし、具体的には、本実施例は二対設けた構成としている。
【００３６】
詳細には、円形に形成した各挟持片５の０°、９０°、１８０°、２７０°の位置に夫々位置決め凹部７を設け、図５に示すように、９０°位置及び２７０°位置に設けた位置決め凹部７で薬剤容器９を垂直方向に位置決めし、０°位置及び１８０°位置に設けた位置決め凹部７で薬剤容器９を水平状態に位置決めするように構成している。
【００３７】
このように、本実施例は、一対の挟持片５の夫々に設けた位置決め凹部７を複数対設けて、この複数対の位置決め凹部７の中から薬剤容器９を挟持する一対の位置決め凹部７を選択することで薬剤容器９の取り付け角度を変更し得るように構成している。
【００３８】
また、本実施例の滑り止め部８は、図４に示すように、合成ゴム製の帯板材を円環状に形成し、上端縁部に複数の合成ゴム製の突起８Ａを並設状態に設けて、この滑り止め部８の上端縁部を凹凸形状に形成した構成とし、挟持片５の周壁部６と、この周壁部６の内側にこの周壁部６に沿って間隔を設けて立設した内側周壁部10との間に形成された凹溝11に下端部側を差し込み係止する構成としている。
【００３９】
即ち、本実施例は、滑り止め部８の上端縁部を凹凸形状に形成することにより、図６に示すように、一対の挟持片５で薬剤容器９を挟持した際、この滑り止め部８の上端縁部が容易に折れ曲がり変形して、薬剤容器９に当接した際、薬剤容器９に対してこの滑り止め部８の上端縁部が点若しくは線で当接するのではなく面で当接して、接触面積が増大して薬剤容器９に対する摩擦抵抗が増大し、より強固な滑り止め効果を発揮し、薬剤容器９の位置ズレを防止する構成としている。
【００４０】
尚、本実施例では、突起８Ａを含む滑り止め部８全体を合成ゴムで形成した構成としたが、突起８Ａのみを合成ゴムで形成した構成としても良く、また、天然ゴム、軟質合成樹脂等の他の素材で形成した構成としても良い。
【００４１】
また、本実施例の薬剤容器保持部３は、図７に示すように、本体部２に着脱自在に設けた構成としている。
【００４２】
具体的には、図３に示すように、有端環状変形部４の長さ方向の中央部となる位置に、言い換えると、有端環状変形部４を対向先端部４Ａが下端に位置するように配置した状態（Ｃ状有端環状変形部４の開口部を下方に向けた状態）においる上端となる位置に、上述した本体部２の先端部に設けた本体側連結部12と係合する保持部側連結部13を設けた構成とし、この本体側連結部12と保持部側連結部13とを係脱自在に構成して、この薬剤容器保持部３を本体部２に着脱自在に設けた構成としている。
【００４３】
詳細には、本実施例では、保持部側連結部13に係止爪13Ａを設けてこの保持部側連結部13を雄コネクタ形状に形成し、本体側連結部12にこの保持部側連結部13の係止爪13Ａが係止する係止部12Ａを設けてこの本体側連結部12を雌コネクタ形状に形成して、保持部側連結部13を本体側連結部12に差し込み係合すると、保持部側連結部13の係止爪13Ａが本体側連結部12の係合部12Ａ、具体的には、本体側連結部12に設けた開口部の開口縁12Ａに係止して、抜け止め状態となり、薬剤容器保持部３が本体部２に抜け止め状態に連結する構成としている。
【００４４】
尚、この本体部２と薬剤容器保持部３との連結構造は上述したコネクタ形状の雌雄連結構造に限らず、単なる差し込み（圧入）構造や螺着構造等、本体部２と薬剤容器保持部３とを連結し得る構成であれば適宜採用するものとする。
【００４５】
上述のように構成した本実施例の作用・効果について以下に説明する。
【００４６】
本実施例は、弾性変形する有端環状変形部４の対向先端部４Ａの夫々に一対の挟持片５を設け、この一対の挟持片５が有端環状変形部４の弾性復帰力で薬剤容器９を挟持する構成としたから、極めて簡易な構成でありながら、薬剤容器９の形状や大きさにとらわれることなく、多種多様な薬剤容器９を薬剤容器保持部３に保持することができる。
【００４７】
また、本実施例は、薬剤容器保持部３を構成する挟持片５に、薬剤容器９を垂直状態に位置決めする位置決め凹部７と水平状態に位置決めする位置決め凹部７を設けた構成としたから、塗布部９Ａの向きが上向きでも横向きでも、塗布部９Ａが患部方向を向くようにして薬剤容器９を薬剤容器保持部３に保持することができる。
【００４８】
本実施例の場合、図５に示すように、塗布部９Ａが横向きタイプの薬剤容器９を保持する場合は、９０°位置及び２７０°位置の位置決め凹部７で薬剤容器９を位置決めすることでこの薬剤容器９が垂直状態に位置決めされ、塗布部９Ａが塗布状態にした際に患部方向を向き、塗布部９Ａが上向きタイプの薬剤容器９を保持する場合は、０°位置及び１８０°位置の位置決め凹部７で薬剤容器９を位置決めすることでこの薬剤容器９が水平状態に位置決めされ、塗布部９Ａが塗布状態にした際に患部方向を向くので、薬剤を背中の患部に塗布する際、図８に示すように、楽な体勢で、容易に塗布することができる。
【００４９】
また、本実施例は、薬剤容器保持部３を構成する挟持片５に上端部に突起８Ａを設けた滑り止め部８を設けた構成としたから、挟持片５で挟持した薬剤容器９との接触面積が増大して強固に滑り止めされて、塗布時に薬剤容器９を患部に当接させても挟持片５で挟持した薬剤容器９が位置ずれせず、安定した塗布作業を行うことができる。
【００５０】
このように、本実施例は、極めて簡易な構成でありながら、多種多様な形状、大きさの薬剤容器９に対応でき、背中等の手が届かず塗布が困難な患部に容易に薬剤を塗布することができる実用性に優れた画期的な薬剤塗布補助具となる。
【００５１】
尚、本発明は、本実施例に限られるものではなく、各構成要件の具体的構成は適宜設計し得るものである。
【符号の説明】
【００５２】
１  把持部
２  本体部
３  薬剤容器保持部
４  有端環状変形部
４Ａ  対向先端部
５  挟持片
６  周壁部
７  位置決め凹部
８  滑り止め部
８Ａ  突起
９  薬剤容器
９Ａ  塗布部
９Ｂ  薬剤収納部
【図１】
2015047410.tif 000003
【図２】
2015047410.tif 000004
【図３】
2015047410.tif 000005
【図４】
2015047410.tif 000006
【図５】
2015047410.tif 000007
【図６】
2015047410.tif 000008
【図７】
2015047410.tif 000009
【図８】
2015047410.tif 000010